(57)【特許請求の範囲】
【請求項１】
前方に向けて開口する収納箱と該収納箱の正面側に配置される前板とから構成されるとともに、前方側に向けて開口するキャビネット本体内に収納される収納位置と、前記キャビネット本体外に引き出される引出位置と、の間で移動可能に案内される引出を備え、前記前板を前後方向に揺動可能に該前板の下端部を前記収納箱の正面側に枢支したキャビネットであって、
前記前板に係止部を設けるとともに、前記キャビネット本体または前記収納箱のいずれか一方に、前記前板が前記収納箱の正面側を閉塞する際に前記係止部と係止する被係止部を設け、
前記収納箱には、前記係止部と前記被係止部との係止が解除されることで前記前板が前記収納箱の前方側に所定開度揺動され、該前板の所定開度の揺動に応じて前記引出を一定量前記引出位置に向けて引き出す連動手段が設けられており、更に前記前板を前記収納箱の前方側に向けて付勢する付勢手段と、前記係止部と前記被係止部との係止が解除されたことを検知する検知手段を備え、前記付勢手段は、前記検知手段が前記係止部と前記被係止部との係止が解除されたことを検知することによって前記前板を前記引出の前方側に向けて付勢することを特徴とするキャビネット。
【請求項２】
前記連動手段は、前記引出位置に向けて移動可能な第１リンク部材と、該第１リンク部材にかかる力を前記キャビネット本体の背面側に向けて転換する伝達部と、該伝達部からの力の伝達によって前記キャビネット本体の背面側に向けて移動可能な第２リンク部材と、から構成され、前記キャビネット本体には、前記第２リンク部材の前記キャビネット本体の背面側への移動を阻止する阻止部材が設けられていることを特徴とする請求項１に記載のキャビネット。
【請求項３】
前記伝達部は、前記第１リンク部材にかかる力を増力させて前記第２リンク部材に伝達することを特徴とする請求項２に記載のキャビネット。
【発明の詳細な説明】
【技術分野】
【０００１】
本発明は、正面側に向けて開口するキャビネット本体内に収納される収納位置と、キャビネット本体外に引き出される引出位置と、の間で移動可能に案内される引出を備え、引出の正面側に、下端部が枢支され前後方向に揺動可能な前板が設けられているキャビネットに関する。
【背景技術】
【０００２】
従来、引出としては、流し台の天板の下方に配置されている引き出し本体と、引き出し本体の正面側に設けられている前板と、前板の裏面に設けられた収納用囲い棚と、を備え、レールに案内されることによって前方に引き出すことができるようになっている。また、引出には、使用者が前板の引き手を持って前方に引くと、前板が枢軸を中心に前方に回転して所定の角度まで可倒することで収納用囲い棚内の収納物を取り出すことができるようになっている。更に、前板の裏面には、先端部がレールに形成された溝部内を摺動する係脱アームの基端部が取り付けられており、この係脱アームは、前板が前方に可倒することで溝部の前端に係合し、引出の前方への移動を規制するようになっている。このような引出には、使用者が前板を前方に可倒した後に、引き手で引出を前方に強く引くことによって係脱アームと溝部との係合を解除し、引出を前方に移動させているものがある（例えば、特許文献１参照）。
【先行技術文献】
【特許文献】
【０００３】
【特許文献１】特許第３９２２０３５号公報（第４頁、第２図）
【発明の概要】
【発明が解決しようとする課題】
【０００４】
しかしながら、特許文献１にあっては、前板の可倒する角度や収納用囲い棚内の収納物の大きさによっては、前板を可倒しただけでは使用者は収納用囲い棚から収納物を取り出しにくくなっており、このような場合には、引き手で引出を前方に強く引くことによって係脱アームと溝部との係合を解除した後に引出を前方に移動させなければならず、使用者が引出を引き出すには大きな力を要するという問題がある。
【０００５】
本発明は、このような問題点に着目してなされたもので、使用者が力を要さずとも引出を引き出すことができるキャビネットを提供することを目的とする。
【課題を解決するための手段】
【０００６】
前記課題を解決するために、本発明のキャビネットは、
前方に向けて開口する収納箱と該収納箱の正面側に配置される前板とから構成されるとともに、前方側に向けて開口するキャビネット本体内に収納される収納位置と、前記キャビネット本体外に引き出される引出位置と、の間で移動可能に案内される引出を備え、前記前板を前後方向に揺動可能に該前板の下端部を前記収納箱の正面側に枢支したキャビネットであって、
前記前板に係止部を設けるとともに、前記キャビネット本体または前記収納箱のいずれか一方に、前記前板が前記収納箱の正面側を閉塞する際に前記係止部と係止する被係止部を設け、
前記収納箱には、前記係止部と前記被係止部との係止が解除されることで前記前板が前記収納箱の前方側に所定開度揺動され、該前板の所定開度の揺動に応じて前記引出を一定量前記引出位置に向けて引き出す連動手段が設けられており、更に前記前板を前記収納箱の前方側に向けて付勢する付勢手段と、前記係止部と前記被係止部との係止が解除されたことを検知する検知手段を備え、前記付勢手段は、前記検知手段が前記係止部と前記被係止部との係止が解除されたことを検知することによって前記前板を前記引出の前方側に向けて付勢することを特徴としている。
この特徴によれば、係止部と被係止部との係止が解除され前板が引出の前方側に揺動すると、使用者が引出に対して引出位置に向けて力を加えずとも、連動手段により引出を収納位置から引出位置に向けて自動的に引き出すことができる。また前板の揺動を付勢手段の付勢力によって行うことができるので、引出を引出位置に向けてより確実に引き出すことができ、そして係止部と被係止部との係止が解除されない限り付勢手段が作用しないので、前板が急激に揺動することを防止することができる。
【０００９】
本発明のキャビネットは、
前記連動手段は、前記引出位置に向けて移動可能な第１リンク部材と、該第１リンク部材にかかる力を前記キャビネット本体の背面側に向けて転換する伝達部と、該伝達部からの力の伝達によって前記キャビネット本体の背面側に向けて移動可能な第２リンク部材と、から構成され、前記キャビネット本体には、前記第２リンク部材の前記キャビネット本体の背面側への移動を阻止する阻止部材が設けられていることを特徴としている。
この特徴によれば、前板の引出の前方側への揺動を、第２リンク部材のキャビネット本体の背面側への移動に転換し、第２リンク部材が阻止部材を押圧する力によって引出を引出位置に向けて引き出すことができるので、前板の引出の前方側への揺動と収納箱の引出位置に向けての引き出しとを阻止部材の設置位置により調整することができる。
【００１０】
本発明のキャビネットは、
前記伝達部は、前記第１リンク部材にかかる力を増力させて前記第２リンク部材に伝達することを特徴としている。
この特徴によれば、伝達部から第２リンク部材に伝達する力を増大させることができるので、前板が引出の前方側に向けて揺動する際に前板にかかる力が小さくとも収納箱を引出位置に向けて引き出すことができる。
【図面の簡単な説明】
【００１１】
【図１】実施例１における引出を示す斜視図である。
【図２】引出しとガイドレールと緩衝装置とを示す側面図である。
【図３】引出の側板を示す一部拡大斜視図である。
【図４】引出の側板を示す横断平面図である。
【図５】収納位置に配置された引出の側板を示す縦断側面図である。
【図６】図５における引出の側板のＡ−Ａ断面図である。
【図７】当接部が阻止部材を押圧するまで前板が正面側に揺動された状態を示す縦断側面図である。
【図８】引出位置に引き出された引出を示す縦断側面図である。
【図９】（ａ）は、実施例２における引出が収納位置に配置されている状態を示す縦断側面図であり、（ｂ）は、引出が収納位置から引き出された状態を示す縦断側面図である。
【図１０】実施例３における引出の縦断側面図である。
【図１１】実施例４における引出の縦断側面図である。
【発明を実施するための形態】
【００１２】
本発明に係るキャビネットを実施するための形態を実施例に基づいて以下に説明する。
【実施例１】
【００１３】
実施例１に係るキャビネットにつき、図１から図８を参照して説明する。以下、図２、図５、図７、図８の紙面左側と、図４の紙面下側及び図６の紙面手前側をキャビネットの正面側（前方側）として説明する。
【００１４】
図１の符号１は、本発明の適用された引出である。この引出１は、図１に示すように、正面側に開口するキャビネット本体２内に上下２段が収納されている。この引出１は、前方と上方とに開口して内部に皿や鍋等の収納物５を収納可能な略方形状の収納箱６を有しており、収納箱６の正面側には、上端部に使用者が把持するための把手７が取り付けられた前板８が配置されている。
【００１５】
また、それぞれの引出１の左右側方には側板２ａ，２ａが設けられている。これら側板２ａ，２ａは、キャビネット本体２の左右両側板を構成するほか、引出１同士の間に設けられる仕切板を構成している。
【００１６】
図２に示すように、キャビネット本体２における両側板２ａ，２ａの内側には、ガイドレール３が取り付けられており、これらガイドレール３は左右側方から収納箱６を支持している。尚、本実施例では、両ガイドレール３の構成は同一につき、一方のガイドレール３のみで説明する。尚、本実施例では、収納箱６が使用者によって使用者の手前方向（前方向）に向けて長さＬ１だけ引き出され、以降、後方を向く抗力を受けることなく前方への引き出しが可能となる引出１の位置を引出位置として定義する（図８参照）。
【００１７】
引出１は、引出位置から使用者によりキャビネット本体２の背面側に向けて押し込まれることでキャビネット本体２内に収納配置されるようになっている。このとき、前板８がキャビネット本体２の側板２ａの前端部に当接して、引出１が収納された状態の引出１の位置を収納位置と定義する。
【００１８】
また、ガイドレール３の後方であるキャビネット本体２の後端部には、引出１が引出位置から収納位置近傍まで移動されたときに、収納箱６に当接（緩衝）して引出１の移動速度を低減させるオイルダンパ４が取り付けられている。このオイルダンパ４は、図２及び図８に示すように、キャビネット本体２に対して固定されるとともに、内部に粘性抵抗を発生させるオイルが充填された筒体４ａと、後部側がこの筒体４ａの前端部から筒体４ａ内に挿入されたロッド４ｂと、を備えている。ロッド４ｂは、後部側を筒体４ａ内に配置した状態で前後動可能となっており、このロッド４ｂの前後動に伴って筒体４ａ内のオイルとロッド４ｂの後部とで粘性抵抗が発生するようになっている。尚、ロッド４ｂの前端部には、強磁性の永久磁石４ｃが取り付けられている。
【００１９】
ガイドレール３について詳述する。図２に示すように、ガイドレール３の上部には、キャビネット本体２の内方側に突出する上板３ａが形成されるとともに、ガイドレール３の下部には、上板３ａと同様に、キャビネット本体２の内方側に突出する下板３ｂが形成されている。
【００２０】
ガイドレール３を構成する上板３ａ及び下板３ｂは、その前端部から後端部近傍にかけて水平な水平部３ｃに形成されている。また、ガイドレール３の後端部は、所定の傾斜角度θで後方に向かって下方に傾斜する傾斜部３ｄに形成されている。更に、ガイドレール３の前端部には、後述する収納箱６の支持板６ｂを支持するためのガイドローラ３ｅが取り付けられている。
【００２１】
尚、本実施例においては、傾斜部３ｄの水平部３ｃに対する傾斜角度θを４度としている。更に尚、ガイドレール３の傾斜部３ｄの傾斜は、少なくとも下板３ｂに形成されていればよく、上板３ａは前端部から後端部にかけて水平に形成されていてもよい。
【００２２】
次に、引出１について詳述する。尚、本実施例の引出１は左右対称に構成されているため、本実施例では引出１の右方側のみを説明し、引出１の左方側については説明を省略する。
【００２３】
前板８の背面には、収納箱６内の収納物５よりも使用頻度の高いまな板や包丁等の収納物９を収納するための収納篭１０が取り付けられており、前板８の背面における左右側端上部には、前板８の後方に向けて係止部２５が突設されている。この係止部２５の後端部は、球状に形成されている。また、収納箱６の背面における下端部には、オイルダンパ４のロッド４ｂの前端部に設けられた永久磁石４ｃが磁着するための金属片１１が取り付けられている。
【００２４】
更に、収納箱６を構成する側板６ａは、図３、図４及び図５に示すように、前端部をカバー体１２によって被覆されている。前板８はこのカバー体１２の前端下部に設けられた左右方向を向く枢軸１３によって下端部を枢支され、前後方向に揺動可能となっている。このため、前板８の前後方向への揺動によって収納箱６の正面側への開放及び閉塞がなされるようになっている。
【００２５】
加えて、カバー体１２の上部には、係止部２５が係止するための被係止部２６が設けられている。これら係止部２５と被係止部２６とは、公知のプッシュラッチを構成している。
【００２６】
すなわち、係止部２５は、図４及び図５に示すように、前板８が収納箱６の正面側を閉塞する際に、球状に形成された後端部を被係止部２６で保持されることで係止されるようになっており、図７に示すように、前板８を収納箱６の背面側に向けて押圧することで係止部２５と被係止部２６の係止が解除され、係止部２５が被係止部２６内に内蔵された図示しないコイルバネによって収納箱６の前方側に付勢されるようになっている。つまり、被係止部２６は、本発明における付勢手段を構成している。
【００２７】
尚、図５に示すように、引出１が収納位置に収納配置されているときの前板８の重心Ｇは、前板８をカバー体１２に枢支する枢軸１３よりも収納箱６の背面側に配置されている。
【００２８】
一方、図２及び図３に示すように、側板６ａの外側面には、前後方向に長い支持板６ｂが取り付けられている。この支持板６ｂは、ガイドレール３の上板３ａと下板３ｂとの間でガイドローラ３ｅによって支持されている。更に、この側板６ａの外側面における支持板６ｂよりも後部側の下方には、ローラ６ｃが左右方向を向く枢軸によって回転自在に枢支されている。このローラ６ｃは、ガイドレール３の上板３ａと下板３ｂとの間で転動可能に載置されている。このため、引出１は、ガイドレール３によって引出位置と収納位置との間を滑らかに移動可能となって支持されている。
【００２９】
また、図４及び図５に示すように、側板６ａは、内部が中空部１４に形成されている。この中空部１４の上端部には、前後方向を向く略直方体形状のスライド板１５が前後方向に移動自在に配置されている。具体的には、中空部１４の上端部の左右側部には、左右方向を向く溝部６ｄが側板６ａの前後方向略全長に亘って形成されており、スライド板１５の上端部には、これら溝部６ｄ内に配置される摺接片１５ａが突設されている。
【００３０】
このため、スライド板１５は溝部６ｄ内で両摺接片１５ａ，１５ａによって吊持されている状態で、中空部１４内を前後方向に摺動する。尚、スライド板１５の下面には、前後方向略全長に亘ってラック部１５ｂが形成されている。
【００３１】
そして、スライド板１５の前端部には、棒状のステー１６の一端が左右方向を向く枢軸によって前後方向に揺動可能に枢支されている。このステー１６の他端は、側板６ａの正面に形成された貫通孔６ｅとカバー体１２に形成された貫通孔１２ａとを介して前板８の背面の右端部に左右方向を向く枢軸によって揺動可能に枢着されている。つまり、スライド板１５とステー１６とで本発明における第１リンク部材を構成しており、スライド板１５は前板８の前後方向への揺動に応じて前後方向に中空部１４内を移動可能となっている。
【００３２】
尚、スライド板１５は、摺接片１５ａが溝部６ｄの前端部に当接することでそれ以上の収納箱６の正面側への移動が規制されているため、スライド板にステー１６を介して接続されている前板８も収納箱６の前方側への揺動が規制されている。
【００３３】
図４、図５及び図６に示すように、中空部１４内のスライド板１５下方には、ラック部１５ｂと噛み合うピニオンギア（歯車）１７ａが左右方向を向く枢軸によって枢支されている。このピニオンギア１７ａの同一の枢軸上には、ピニオンギア１７ａよりも小径に形成されたピニオンギア１７ｂが枢支されている。
【００３４】
更に、ピニオンギア１７ｂの下方には、上面にピニオンギア１７ｂに噛み合うラック部１８ａが形成された前後方向を向く直方体形状の本発明における第２リンク部材としてのスライド板１８が、スライド板１５の移動に従い中空部１４内を前後方向に移動自在に配置されている。このため、スライド板１５にかかる力は、ピニオンギア１７ａ、１７ｂによって増力されるようになっている。つまり、これらピニオンギア１７ａ，１７ｂによって本発明における伝達手段が構成されている。
【００３５】
更に、ピニオンギア１７ｂの下方には、上面にピニオンギア１７ｂに噛み合うラック部１８ａが形成された前後方向を向く直方体形状のスライド板１８が、スライド板１５の移動に従い中空部１４内を前後方向に移動自在に配置されており、ピニオンギア１７ａ，１７ｂで増力された力が伝達されるようになっている。
【００３６】
図５、図６及び図７に示すように、側板６ａの外側面には、中空部１４に貫通する貫通長孔６ｆが側板６ａの前後方向を向いて形成されており、この貫通長孔６ｆ内には、スライド板１８の右側部が挿入配置されている。また、貫通長孔６ｆの上下には、貫通長孔６ｆの前後方向略全長に亘って係止溝部６ｇ，６ｇが形成されており、スライド板１８の右側部の上下には、これら係止溝部６ｇ，６ｇ内に挿入配置される係止片１８ｂが突設されている。このため、スライド板１８は貫通長孔６ｆ内で左右方向に脱落することなく前後方向に摺動するようになっている。
【００３７】
キャビネット本体２の側板２ａの内側面には、平面視Ｌ字形状の阻止部材１９が取り付けられており、スライド板１８の前端部には、収納箱６の外側方に向けて当接部１８ｃが貫通長孔６ｆを介して突設されている。これら阻止部材１９と当接部１８ｃとは、引出１がキャビネット本体２内の収納位置に収納配置されているときには前後方向に離間して配置されている。
【００３８】
次に、このように構成された引出１の収納位置から引出位置への引き出しに伴う動作について説明する。先ず、図４及び図５に示すように、引出１が収納位置に収納配置されている状態から、使用者が前板８をキャビネット本体２の背面側に向けて押圧し、係止部２５と被係止部２６との係止を解除させる。
【００３９】
このとき、被係止部２６内の図示しないコイルバネが係止部２５を収納箱６の前方側に向けて付勢することで、前板８が収納箱６の前方側に向けて揺動される。そして、前板８の収納箱６の前方側への揺動に応じてスライド板１５のキャビネット本体２の前方側への移動がなされる（図７参照）。
【００４０】
加えて、前板８の重心Ｇが前板８をカバー体１２に枢支している枢軸１３よりも収納箱６の前方側まで移動されると、被係止部２６の付勢力に加えて前板８の荷重自体を前板８の前方側に揺動させる力として使用することができる。
【００４１】
このスライド板１５の収納箱６の正面側への移動によって、ラック部１５ｂがピニオンギア１７ａを図５における側面視反時計回りに回転させる。このピニオンギア１７ａの図５における側面視反時計回りの回転は、ピニオンギア１７ａ，１７ｂによって増力され、ラック部１８ａに伝達されるようになっている。このため、スライド板１８は、ピニオンギア１７ｂの図５における側面視反時計回りの回転によって中空部１４内をキャビネット本体２の背面側に向けて摺動する。
【００４２】
図７に示すように、前板８が前方側に所定開度揺動することで、当接部１８ｃが阻止部材１９に正面側から当接する。尚、阻止部材１９の側板２ａの内側面における取り付け位置は、スライド板１８が中空部１４内を摺動することで当接部１８ｃに当接可能であれば、収納箱６に収納されている収納物５や引出１の使用用途に応じて適宜前後方向に調整可能である。特に、引出１が収納位置に収納配置されている状態で当接部１８ｃと阻止部材１９が最初から当接している場合には、前板８が収納箱６の前方側に揺動されると同時に引出１全体が引出位置に向けて引き出される。
【００４３】
そして、この当接部１８ｃが阻止部材１９に正面側から当接している状態から更に前板８が収納箱６の前方側に向けて揺動することで、スライド板１８は、ピニオンギア１７ａ、１７ｂを介して阻止部材１９を当接部１８ｃによって収納箱６の背面側に向けて押圧し、収納箱６に前方側に向けての反力を生じさせる。
【００４４】
このため、図８に示すように、収納箱６はこの反力によってキャビネット本体２内から押圧されることで、キャビネット本体２内の収納位置から引出位置に向けて引き出され、スライド板１８は当接部１８ｃが阻止部材１９を押圧する位置を維持した状態で貫通長孔６ｆ内を相対移動する。
【００４５】
このとき、収納箱６には、ローラ６ｃが傾斜部３ｄ内の前上方に転動する抵抗力と、オイルダンパ４のロッド４ｂが永久磁石４ｃの金属片１１への磁着によって引出１とともに引出位置に向けて引き出される際に筒体４ａ内で生じる粘性抵抗力と、ロッド４ｂがキャビネット本体２の正面側に向けて所定量引き出されたことにより抗力として作用する永久磁石４ｃと金属片１１との間に生じている磁力と、を合わせたキャビネット本体２の背面側を向く抗力が生じるが、前板８が揺動することで前板８に生じる力がピニオンギア１７ｂで増強されているため、前板８が軽量または被係止部２６の付勢力が弱くとも引出１を引出位置に向けて引き出すことが可能となっている。
【００４６】
尚、このピニオンギア１７ｂで増強された力によって永久磁石４ｃと金属片１１との磁着が解除されると、ロッド４ｂのキャビネット本体２の正面側への引き出しが停止され、ロッド４ｂの前端部は、キャビネット本体２の正面側への引き出しを停止した位置で待機する。
【００４７】
そして、スライド板１５が溝部６ｄの前端部に当接することによって前板８の前方側への揺動が終了し、収納箱６はキャビネット本体２内から前方側に距離Ｌ１だけ引き出された引出位置に配置される。
【００４８】
尚、前板８の前方側への揺動が終了した後は、引出１を引出位置から更に使用者が把手７を把持して引き出すことによって、前板８の揺動を維持したまま引出１を全開量引き出すことができる。
【００４９】
更に尚、引出１を引出位置から収納位置に収納配置させる場合は、使用者が前板８を背面側に向けて押し込むことで、前板８を、前板８の重心Ｇが前板８をカバー体１２に枢支している枢軸１３よりも収納箱６の背面側に配置されるまでキャビネット本体２の背面側に向けて揺動させるとともに、ローラ６ｃがガイドレール３の傾斜部３ｄ内を転動するまで収納箱６をガイドレール３に沿って案内させる。このとき、使用者が前板８をキャビネット本体２の背面側に向けて押圧することで係止部２５と被係止部２６とを再び係止させ、収納箱６の正面側を前板８によって閉塞する。
【００５０】
ローラ６ｃがガイドレール３の傾斜部３ｄ内を転動するまで収納箱６を押し込んだ後は、ローラ６ｃが傾斜部３ｄを後下方に向って下っていくとともに、金属片１１と永久磁石４ｃとが再び磁力により磁着される。このため、収納箱６は、傾斜部３ｄ内をローラ６ｃが下ることで自動的に収納位置に向けて移動を開始するとともに、オイルダンパ４の筒体４ａ内にロッド４ｂが挿入されることで生じる粘性抵抗によって収納箱６の収納位置に向けての加速が抑えられ、最終的に引出１を静かに収納位置に収納配置することができる。
【００５１】
以上、本実施例におけるキャビネットにあっては、前板８に係止部２５を設けるとともに、キャビネット本体２または収納箱６のいずれか一方に、前板８が収納箱６の正面側を閉塞する際に係止部２５と係止する被係止部２６を設け、収納箱６には、係止部２５と被係止部２６との係止が解除されることで前記前板が前記収納箱の前方側に所定開度揺動され、該前板の所定開度の揺動に応じて引出１を一定量引出位置に向けて引き出す連動手段が設けられているので、係止部２５と被係止部２６との係止が解除され前板８が引出１の前方側に揺動すると、使用者が引出１に対して引出位置に向けて力を加えずとも、連動手段により引出１を収納位置から引出位置に向けて自動的に引き出すことができる。
【００５２】
また、前板８を引出１の前方側に向けて付勢する被係止部２６を備えるので、前板８の揺動を被係止部２６の付勢力によって行うことができるので、引出１を引出位置に向けてより確実に引き出すことができる。
【００５３】
また、連動手段は、引出位置に向けて移動可能なスライド板１５及びステー１６と、スライド板１５及びステー１６にかかる力をキャビネット本体２の背面側に向けて転換するピニオンギア１７ａ，１７ｂと、ピニオンギア１７ａ，１７ｂからの力の伝達によってキャビネット本体２の背面側に向けて移動可能なスライド板１８と、から構成され、キャビネット本体２には、スライド板１８のキャビネット本体２の背面側への移動を阻止する阻止部材１９が設けられているので、前板８の引出１の前方側への揺動を、スライド板１８のキャビネット本体２の背面側への移動に転換し、スライド板１８が阻止部材１９を押圧する力によって引出１を引出位置に向けて引き出すことができるので、前板８の収納箱６の前方側への揺動と引出１の引出位置に向けての引き出しとを阻止部材１９の設置位置により調整することができる。
【００５４】
また、ピニオンギア１７ａ，１７ｂは、スライド板１５及びステー１６にかかる力を増力させて前記第２リンク部材に伝達するので、ピニオンギア１７ａ，１７ｂからスライド板１８に出力する力を増大させることができるので、前板８が引出１の前方側に向けて揺動する際に前板８にかかる力が小さくとも引出１を引出位置に向けて引き出すことができる。
【実施例２】
【００５５】
次に、実施例２に係るキャビネットにつき、図９を参照して説明する。尚、前記実施例と同一構成で重複する構成を省略する。以下、図９（ａ）及び図９（ｂ）の紙面左側をキャビネットの正面側（前方側）として説明する。
【００５６】
図９（ａ）及び図９（ｂ）に示すように、本実施例における伝達部は、一端が前板８の背面の右端部に左右方向を向く枢軸によって揺動可能に枢支されている本発明における第１リンク部材を構成する第１アーム２０と、一端が第１アーム２０の他端に左右方向を向く枢軸２１によって揺動可能に枢支され、中間部よりも他端側で左右方向を向く枢軸２３によって側板６ａに前後方向に揺動自在に枢支される本発明における第２リンク部材を構成する第２アーム２２と、で構成されており、第２アーム２２の他端部には、収納箱６の外側方に向けて貫通長孔６ｆを介して当接ピン２４が突設されている。また、阻止部材１９は、引出１がキャビネット本体２内の収納位置に収納配置されているときから、当接ピン２４に当接するように配置されている。
【００５７】
貫通長孔６ｆは、当接ピン２４が前板８が正面側に揺動されることによって円弧軌道を描いて前後方向に移動するため、前板８の揺動時に当接ピン２４に当接しないよう、上下幅寸法が実施例１よりも上下方向に長寸に形成されている。
【００５８】
更に、第２アーム２２における第１アーム２０が枢支される一端側には、第２アーム２２の長手方向に沿って複数の枢支孔２２ａが形成されている。これら枢支孔２２ａには、第１アーム２０と第２アーム２２とを枢支するための枢軸２１を挿通可能となっている。このため、第２アーム２２における枢軸２１から枢軸２３までの距離Ｒ１は、枢軸２１をいずれかの枢支孔２２ａに挿通させることによって、枢軸２３から当接ピン２４までの距離Ｒ２よりも長寸を維持する範囲で変更することができるようになっている。
【００５９】
このように構成された引出１を収納位置から引出位置に向けて引き出すには、図９（ａ）及び図９（ｂ）に示すように、まず、使用者が前板８をキャビネット本体２の背面側に向けて押圧し、係止部２５と被係止部２６との係止を解除することで前板８を正面側に揺動させる。この前板８の正面側への揺動によって、第１アーム２０の他端が第２アーム２２の一端側を枢軸２３を揺動中心として正面側に揺動させようとし、第２アーム２２の他端側は、当接ピン２４を阻止部材１９に当接させながらキャビネット本体２の背面側に揺動しようとする。
【００６０】
このとき、第２アーム２２における枢軸２１から枢軸２３までの距離Ｒ１は、枢軸２３から当接ピン２４までの距離Ｒ２よりも長寸となっているので、当接ピン２４は、梃子の原理により使用者が前板８を正面側に揺動する力よりも大きな力で阻止部材１９をキャビネット本体２の背面側に向けて押圧する。このため、収納箱６は、オイルダンパ４からの粘性抵抗に抗して、当接ピン２４が阻止部材１９から受ける正面側を向く反力によってキャビネット本体２の正面側に距離Ｌ１だけ引き出される。
【００６１】
尚、本実施例では第２アーム２２における枢軸２１の位置を変更することによって当接ピン２４が阻止部材１９を押圧する力を調整したが、第２アーム２２における枢軸２１から枢軸２３までの距離Ｒ１が枢軸２３から当接ピン２４までの距離Ｒ２よりも長寸を維持する範囲で、第２アーム２２における枢軸２３の位置を当接ピン２４と枢軸２１との間で適宜変更し、当接ピン２４が阻止部材１９を押圧する力を調整するようにしてもよい。
【実施例３】
【００６２】
次に、実施例３に係るキャビネットにつき、図１０を参照して説明する。尚、前記実施例と同一構成で重複する構成を省略する。以下、図１０の紙面左側をキャビネットの正面側（前方側）として説明する。
【００６３】
図１０に示すように、本実施例における側板６ａの中空部１４における上端後部には、本発明における検知手段としてのリミットスイッチ２７が配置されている。このリミットスイッチ２７は、前板８が収納箱６の正面側を閉塞している状態において、使用者によってキャビネット本体２の背面側に向けて押圧される前板８と連動して中空部１４内を摺動するスライド板１５の後端部からのみ押圧されるようになっており、他の中空部１４内に配置された部材及び中空部１４の外部からは押圧不可能となっている。
【００６４】
また、前板８と前板８をカバー部材１２に枢支する枢軸１３との間には、本発明における付勢手段としてのサーボモータ２８が接続されており、これらリミットスイッチ２７とサーボモータ２８とは、図示しない制御回路を介して接続されている。
【００６５】
このように構成された引出１は、使用者が前板８をキャビネット本体２の背面側に向けて押圧することで、係止部２５と被係止部２６との係止が解除されると、同時に、図示しない制御回路が、リミットスイッチ２７がスライド板１５によって押圧されたことに基づいて係止部２５と被係止部２６との係止が解除されたことを検知する。
【００６６】
そして、図示しない制御回路は、このリミットスイッチ２７の押圧を検知することを条件にサーボモータ２８を所定量正転駆動させ、前板８を収納箱６の前方側に向けて付勢し、引出１を前板８の自重と被係止部２６からの付勢力とサーボモータ２８の所定回転数又は所定時間の正転駆動によって引出位置に向けて引き出す。
【００６７】
尚、リミットスイッチ２７は、引出１を収納位置に収納配置させる際に、係止部２５と被係止部２６とを再び係止させると、リミットスイッチ２７が係止部２５と被係止部２６とが係止されたことを検知するので、引出１を収納位置に収納配置させる際に、サーボモータ２８の正転駆動によって前板８が収納箱６の前方側に向けて揺動されてしまう動作をすることがない。
【００６８】
以上、本実施例におけるキャビネットにあっては、係止部２５と被係止部２６との係止が解除されたことを検知するリミットスイッチ２７を備え、サーボモータ２８は、リミットスイッチ２７が係止部２５と被係止部２６との係止が解除されたことを検知することによって前板８を収納箱６の前方側に向けて付勢するので、係止部２５と被係止部２６との係止が解除されない限りサーボモータ２８が作用しないので、前板８が急激に揺動することを防止することができる。
【実施例４】
【００６９】
次に、実施例４に係るキャビネットにつき、図１１を参照して説明する。尚、前記実施例と同一構成で重複する構成を省略する。以下、図１１の紙面左側をキャビネットの正面側（前方側）として説明する。
【００７０】
図１１に示すように、本実施例における係止部２５は、前板８背面の上部に取り付けられており、被係止部２６は、キャビネット本体２の両側板２ａ，２ａ間に架設された梁Ｂの下面に取り付けられている。
【００７１】
この被係止部２６内には、図示しないスイッチが内蔵されている。また、梁Ｂにおける被係支部２６の直上方には、本発明における付勢手段としての電動シリンダ２９が設けられている。この電動シリンダ２９は、前端部に電気駆動によってキャビネット本体２の前方側に向けて突出するプッシュロッド２９ａ備えている。また、被係止部２６内のスイッチと電動シリンダ２９は、図示しない制御回路を介して接続されている。
【００７２】
この図示しない制御回路は、構成使用者が前板８をキャビネット本体２の背面側に向けて押圧することで、係止部２５と被係止部２６との係止が解除されると、同時に、係止部２５と被係止部２６との係止が解除されたことを検知し、電動シリンダ２９はプッシュロッド２９ａをキャビネット本体２の前方側に向けて突出させるようになっている。
【００７３】
図示しない制御回路によってキャビネット本体２の前方側に向けて突出されたプッシュロッド２９ａは、前板８を背面から押圧することで、前板８を収納箱６の前方に向けて揺動させる。尚、このとき、プッシュロッド２９ａが押圧する箇所は、前板８を枢支している枢軸から前板８の前後幅の略全長に亘って離間しているため、小さな圧力で前板８を収納箱６の前方側に向けて揺動させることができる。
【００７４】
以上、本発明の実施例を図面により説明してきたが、具体的な構成はこれら実施例に限られるものではなく、本発明の要旨を逸脱しない範囲における変更や追加があっても本発明に含まれる。
【００７５】
例えば、前記実施例では、被係止部２６内の図示しないコイルバネによって係止部２５を収納箱６の前方側に向けて付勢することで前板８を収納箱６の正面側に向けて揺動させたが、被係止部２６内にコイルバネを設けず、枢軸１３と前板８との間に前板８を収納箱６の正面側に向けて付勢するコイルバネを設けてもよい。
【００７６】
また、前記実施例では、前板８を、前板８の自重と、被係止部２６の図示しないコイルバネの付勢力またはサーボモータ２８の正転駆動とによって収納箱６の前方側に向けて揺動させたが、引出１が収納位置に収納配置されている際に前板８の重心Ｇが枢軸１３よりも引出１の正面側に配置されている場合には、前板８の自重のみで前板８が収納箱６の前方側に向けて揺動するようにしてもよい。
【００７７】
また、前記実施例では、ピニオンギア１７ａの回転速度をピニオンギア１７ｂで減速することで、前板８が収納箱６の前方側に向けて揺動される際に前板８にかかる力よりも増強された力で当接部１８ｃを阻止部材１９を押圧させ、引出１を引出位置に向けて引き出したが、前板８が十分な自重を有している場合は、伝達部を単一のピニオンギアのみで構成し、該ピニオンギアを両ラック部１５ｂ，１８ａに噛み合うように配置し、前板８が収納箱６の前方側に向けて揺動される際に前板８にかかる力をそのままスライド板１８に伝達するようにしてもよい。
【００７８】
また、前記実施例では、ガイドレール３の後端部に傾斜部３ｄを形成し、この傾斜部３ｄでローラ６ｃを後下方に向けて移動させることで引出１を収納位置に向けて引き込んだが、ガイドレール全体を水平部に形成するとともに、キャビネット本体２と引出１との間に引出１を収納位置に向けて付勢するコイルバネ等の引込手段を設け、この引込手段の付勢力によって引出１を引出位置側から収納位置に向けて引き込むようにしてもよい。
【００７９】
また、前記実施例では、前板８の背面における左右側端上部に係止部２５を設け、収納箱６の左右側板６ａ，６ａの前端部であるカバー体１２の上部に被係止部２６を設けたが、係止部を前板８の背面における左右方向の略中央部に設けるとともに、被係止部をキャビネット本体２の両側板２ａ，２ａ間に架設された梁Ｂの左右方向の略中央部に設け、係止部と被係止部の係止が前板８の左右方向の略中央の上部で行われるようにしてもよい。
【００８０】
また、前記実施例１、３，４では、伝達部としてピニオンギア１７ａ，１７ｂを用い、前記実施例２では、伝達部として第１アーム２０及び第２アーム２２を用いたが、伝達部の組合せとしては上記に限らず、例えば、ピニオンギア１７ａと第２アーム２２、第１アーム２０とピニオンギア１７ｂのように動作の異なる複数の部材を組み合わせて構成してもよい。
【符号の説明】
【００８１】
１                引出
２                キャビネット本体
６                収納箱
８                前板
１５              スライド板（第１リンク部材）
１６              ステー（第１リンク部材）
１７ａ，１７ｂ    ピニオンギア（伝達部）
１８              スライド板（第２リンク部材）
１９              阻止部材
２０              第１アーム（伝達部，第１リンク部材）
２１              枢軸
２２              第２アーム（伝達部，第２リンク部材）
２２ａ            枢支孔
２３              枢軸
２４              当接ピン
２５              係止部
２６              被係止部
２７              リミットスイッチ（検知手段）
２８              サーボモータ（付勢手段）
２９              電動シリンダ（付勢手段）
【図１】
0005595086.tif 000002
【図２】
0005595086.tif 000003
【図３】
0005595086.tif 000004
【図４】
0005595086.tif 000005
【図５】
0005595086.tif 000006
【図６】
0005595086.tif 000007
【図７】
0005595086.tif 000008
【図８】
0005595086.tif 000009
【図９】
0005595086.tif 000010
【図１０】
0005595086.tif 000011
【図１１】
0005595086.tif 000012